(57)【要約】【課題】簡易な操作でオーニングシートの引き出しと巻き取りができ、引き出す角度を調整できるオーニング装置を提供すること。【解決手段】オーニングシートを接続した巻回軸の一端に位置制限軸を緊密に嵌着し、該位置制限軸の他端から延伸して形成される支持部は、外筒の一端を嵌着する補助取り付け座の中心に形成した孔部を貫通し、かつ対応するベース部の孔内に設ける弾性部材と押し圧部材を挿設して、該弾性部材の付勢力で隣接する該押し圧部材が常時外方向に押されるように構成し、該位置制限の一端のラチェット部と該補助取り付け座の内壁端面に形成したラチェット部とを単一方向にのみ回転するように噛合させる。【選択図】図３
0003134520.tif 000002
【実用新案登録請求の範囲】
【請求項１】
オーニングシートを接続した巻回軸の一端に位置制限軸を緊密に嵌着し、該位置制限軸の他端から延伸して形成される支持部は、外筒の一端を嵌着する補助取り付け座の中心に形成した孔部を貫通し、かつ対応するベース部の孔内に設ける弾性部材と押し圧部材を挿設して、弾性部材の付勢力で隣接する押し圧部材が常時外方向に押されるように構成し、
位置制限軸の一端のラチェット部と補助取り付け座の内壁端面に形成したラチェット部とを単一の方向のみに回転するように噛合させ、
オーニングシートを外方向に引き出すと、位置制限軸と補助取り付け座の内壁端面とに形成したラチェット部が互いに引き出す動作に反った方向に回転してオーニングシートが必要とされる長さまで引き出され、引き出しが止まると補助取り付け座のラチェット部の制限で方向が設定され、オーニングシートを収納する場合は、手でベース部の押し圧部材を押し圧すると、位置制限軸に形成したラチェット部が補助取り付け座ラチェット部から離れて、オーニングシートが内部収納されることを特徴とする、
オーニングシートの引き出し位置決め装置。
【請求項２】
前記外筒の両端を嵌着する補助取り付け座の外部に近い一端に、外周面に複数の歯を形成した連結部を一体に形成し、隣り合うベース部の孔部に形成した歯と噛合させ、リアウインドに取り付ける前に、両補助取り付け座のベース部に対する角度を予め調整してベース部の孔部内に戻し、オーニングシートと両テンション部材の角度を車両のリアウインドの傾斜角度に合わせて調整可能に構成したことを特徴とする、請求項１に記載のオーニングシートの引き出し位置決め装置。
【考案の詳細な説明】
【技術分野】
【０００１】
本考案はオーニング装置に関し、特に自動車のリアウインドに取り付けるオーニング（日よけ）装置において、引き出されたオーニングシートにテンションがかかった状態を保持して位置決めできるオーニングシートの引き出し位置決め装置に関する。
【背景技術】
【０００２】
車両の走行時、もしくは駐車時において、外部から車内に挿し込む強烈な太陽の光を遮ることを目的として、様々な商品が開発されている。
これら商品は、使用時における利便性も技術開発の課題の一となっている。
例えば、オーニング装置では、オーニングシートの引き出し、収納の動作をスムーズに、かつ素早く行うことができることが重要である。
また、操作が簡易であるとともに、異なる車種の異なる仕様に汎用できるものであることが望ましい。
【考案の開示】
【考案が解決しようとする課題】
【０００３】
そこで、本考案は従来より課題とされている使用上の利便性に着目し、より簡易な操作でオーニングシートを引き出し、巻き取りできる装置について研究、開発したものである。
即ち、本考案は簡易な操作でオーニングシートを引き出し、かつテンションがかかった状態を保持して位置決めできるオーニングシートの引き出し位置決め装置を提供することを課題とする。
【０００４】
また、本考案は、異なる車種におけるリアウインドの傾斜角度に対応し、オーニングシートを引き出し位置決めする方向を調整できるオーニングシートの引き出し位置決め装置を提供することを課題とする。
【課題を解決するための手段】
【０００５】
本考案は、オーニングシートを接続した巻回軸の一端に位置制限軸を緊密に嵌着し、該位置制限軸の他端から延伸して形成される支持部は、外筒の一端を嵌着する補助取り付け座の中心に形成した孔部を貫通し、かつ対応するベース部の孔内に設ける弾性部材と押し圧部材を挿設して、該弾性部材の付勢力で隣接する該押し圧部材が常時外方向に押されるように構成し、該位置制限の一端のラチェット部と該補助取り付け座の内壁端面に形成したラチェット部とを単一方向にのみ回転するように噛合させて構成するオーニング装置によって課題を解決できる。
【０００６】
本願の第１考案に係るオーニングシートの引き出し位置決め装置は、オーニングシートを接続した巻回軸の一端に位置制限軸を緊密に嵌着し、該位置制限軸の他端から延伸して形成される支持部は、外筒の一端を嵌着する補助取り付け座の中心に形成した孔部を貫通し、かつ対応するベース部の孔内に設ける弾性部材と押し圧部材を挿設して、該弾性部材の付勢力で隣接する該押し圧部材が常時外方向に押されるように構成し、該位置制限の一端のラチェット部と該補助取り付け座の内壁端面に形成したラチェット部とを単一方向にのみ回転するように噛合させて構成する。
【０００７】
上述する構成によって、より簡易な操作でオーニングシートを引き出し、かつテンションがかかった状態を保持して位置決めできるオーニングシートの引き出し位置決め装置が得られる。
【０００８】
本願の第２考案に係るオーニングシートの引き出し位置決め装置は、前記第１考案における外筒の両端を嵌着する補助取り付け座の外部に近い一端に、外周面に複数の歯を形成した連結部を一体に形成し、隣り合うベース部の孔部に形成した歯と噛合させる。
【０００９】
上述する構成によって、本考案による装置をリアウインドに取り付ける前に、両補助取り付け座のベース部に対する角度を予め調整して該ベース部の孔部内に戻し、該オーニングシートと両テンション部材の角度を車両のリアウインドの傾斜角度に合わせて調整することができる。
【考案の効果】
【００１０】
本考案によるオーニングシートの引き出し位置決め装置は、簡易な操作でオーニングシートを引き出し、巻き取りでき、使用上便利であるとともに、リアウインドの傾斜角度に対応してオーニングシートを引き出す角度を調整することができるため、異なる車種に広く応用できるという利点を有する。
【考案を実施するための最良の形態】
【００１１】
以下、図面を参照しながら本考案について説明する。
本考案によるオーニングシートの引き出し位置決め装置は、図１Ａ、１Ｂ、図３に示すように、巻回軸１と、コイルばね２と、位置制限軸３と、２つの補助取り付け座４と、２つのベース部５と、２つのテンション部材６と、オーニングシート７とによって構成する。
【００１２】
巻回軸１は中空の筒体であって、外周面には、軸方向に沿って開口部１１を形成してオーニングシート７を接続する。
【００１３】
コイルばね２には支持桿２１を嵌挿し、さらにコイルばね２に嵌挿した支持桿２１を巻回軸１内に挿設する。この場合、巻回軸１の一端に制限支持軸３を緊密に嵌着させる。また、支持桿２１一端は延伸し、端縁部に平板状の支持部２２を形成する。支持桿２１を挿設した巻回軸１は外筒８に収納する。
【００１４】
位置制限持軸３は、巻回軸１の端面開口１２側の一端の外周面に凸縁３２を形成して係合端３１とする。他端は端面に複数の歯を形成してラチェット部３４とし、かつ軸方向に沿って外方向に延伸する支持部３３を一体に形成する。
【００１５】
補助取り付け座４は、一端に巻回軸１を収納する外筒８の両端を嵌着して位置決めし、他端をベース部５に挿入して位置決めする部材である。
内部に収納空間４１が形成され、かつ収納空間４１の内周面に複数のリブ４２を軸方向に沿って形成する。
また、収納空間４１の内壁端面に複数の歯を形成して、位置制限軸３のラチェット部３４に対応するラチェット部４３とする。
ラチェット部３４、４３は互いに噛合して単一方向にのみ回転する。
【００１６】
また、ベース部５に挿入する一端は、ベース部５側に突起し、外周面に複数の歯を形成した連結部４４を一体に形成する。
但し、位置制限軸３３が連結する側の連結部４４の中心には位置制限軸３の支持部３３が貫通する孔部４５を穿設し、他方の連結部４４には支持桿２１の延伸した一端に形成した支持部２２が貫通し、位置決めされる支持孔４６を穿設する。
【００１７】
ベース部５は、補助取り付け座４側の面に、内周面に複数の歯５２を形成した凹溝５１を形成し、補助取り付け座の連結部４４を緊密に嵌挿する。
【００１８】
位置制限軸３側のベース部５は外方向の壁面に孔部５３を穿設して弾性部材３５と押し圧部材３６とを孔部５３内に設ける。
この場合、位置制限軸３の支持部３３が弾性部材３６に挿入され、押し圧部材３６は位置制限軸３の支持部３３の一端に冠着する。
また、押し圧部材３６は孔部５３内に位置する一端に凸縁３６１を形成し、凸縁３６１によって制限を受けて外方向に外れないようにするとともに、弾性体３５の付勢力によって、外方向に押された状態を保持するように構成する（図４参照）。
【００１９】
２つのテンション部材６は、いずれも一端を補助取り付け座４に取り付け、他端をオーニングシート７の端縁部に設けた端縁桿７１に取り付けて、弾性体の付勢力で外方向に張り出した状態を保持する（図２参照）
【００２０】
上述した構成によるオーニングシートの引き出し位置決め装置を使用する場合は、図３、４に示すようにオーニングシート７を外方向に引き出すと、巻回軸１の一端に嵌設した位置制限軸３は、補助取り付け座４の互いに噛合するラチェット部３４、４４によって単一方向に回転し、オーニングシート７を必要とする長さに至るまで引き出す。引き出しの動作を中止すると、両ラチェット部３４、４４の作用によって回転方向が制限され位置決めされる。
【００２１】
オーニングシート７を収納する場合は、図５、６に示すように一方のベース部５に一端が突起して設けられた押し圧部材３６を押圧すると、位置制限軸３に形成したラチェット部３４が補助取り付け座４ラチェット部４３から離れる（図５参照）。
この状態において、手で補助してオーニングシート７と、両テンション部材６とを収納することができる。
オーニングシート７と、両テンション部材６とを収納した後、押し圧部材３６に対する押し圧を解除すると、位置制限軸３のラチェット部３４が補助取り付け座４のラチェット部４３に噛合する（図４参照）。
【００２２】
また、オーニングシート７を引き出す角度を車両のリアウインドの傾斜角度に合わせて調整する場合は、本考案の装置をリアウインドに取り付ける前に、両補助取り付け座４のベース部５に対する角度を予め調整してベース部５の孔部５１内に戻す。
係る簡易な操作によって外筒８に収納した巻回軸１から引き出すオーニングシート７と両テンション部材６の角度を調整することができる。
【図面の簡単な説明】
【００２３】
【図１Ａ】本考案によるオーニングシートの引き出し位置決め装置の一部分の構造を示した分解部である。
【図１Ｂ】本考案によるオーニングシートの引き出し位置決め装置の他の一部分の構造を示した分解部である。
【図２】本考案によるオーニングシートの引き出し位置決め装置の外観を示した説明図である。
【図３】本考案におけるオーニングシートを引き出す動作を示した説明図である。
【図４】本考案による装置の一部構造を示した説明図である。
【図５】本考案におけるオーニングシートを収納する動作を示した説明図である。
【図６】本考案における押し圧部材を押し圧する動作を示した説明である。
【符号の説明】
【００２４】
１・・・・・・巻回軸
１１・・・・・開口部
１２・・・・・端面開口
２・・・・・・コイルばね
２１・・・・・支持桿
２２・・・・・支持部
３・・・・・・位置制限溝
３１・・・・・係合端
３２・・・・・凸縁
３３・・・・・支持部
３４・・・・・ラチェット部
３５・・・・・弾性部材
３６・・・・・押し圧部材
３６１・・・・凸縁
４・・・・・・補助取り付け座
４１・・・・・収納空間
４２・・・・・リブ
４３・・・・・ラチェット部
４４・・・・・連結部
４５・・・・・孔部
４６・・・・・支持孔    
５・・・・・・ベース部
５１・・・・・孔
５２・・・・・歯
５３・・・・・孔部
６・・・・・・テンション部材
７・・・・・・オーニングシート
７１・・・・・端縁桿
８・・・・・・外筒
【図１Ａ】
0003134520.tif 000003
【図１Ｂ】
0003134520.tif 000004
【図２】
0003134520.tif 000005
【図３】
0003134520.tif 000006
【図４】
0003134520.tif 000007
【図５】
0003134520.tif 000008
【図６】
0003134520.tif 000009